(57)【要約】【課題】小型化、薄型化、軽量化及び低コスト化の妨げとなることなく、多彩な色表現により装飾性やアミューズメント性を向上させる。【解決手段】着信時や通話時には、上部発光部５及び下部発光部６のスクリーン部には、赤色ＬＥＤ、緑色ＬＥＤ、青色ＬＥＤのうち、点灯しているＬＥＤに近い光透過領域を透過してきた光を含むスポット光がより大きく映し出され、各ＬＥＤが点滅する毎に、最も大きく映し出されるスポット光の投射位置とその表示色が時間的に変化して、イルミネーション表示の動的変化が視認される。このように、一部が混色されずに原色のまま表示され、別の一部が混色されて表示されて、多色で彩色された状態で時間的に変化するので、多彩な色表現により装飾性を向上させることができる。また、多色で変化する際に複数の光スポットが移動して見えるので、多彩で動的な変化を見て娯楽感覚を楽しむことができる。【選択図】図１
2005084620.tif 000002
【特許請求の範囲】
【請求項１】
互いに異なる色光を出射する複数の発光素子からなる光源と、前記各種色光が投射され拡散されて透過する光拡散板と、前記光源と前記光拡散板との間に介挿され、イルミネーション効果を発揚させるようにデザインされた所定の透過模様又は遮光模様が形成されたイルミネーション原板とを備えてなり、
前記複数の発光素子は互いにずれた状態で配置され、前記複数の発光素子からそれぞれ出射した前記色光による前記透過模様又は前記遮光模様が、互いにずれた状態で、前記光拡散板に拡大投写される
ことを特徴とするイルミネーション構造。
【請求項２】
前記イルミネーション原板は、不透明板に複数の光透過領域が形成されてなっていることを特徴とする請求項１記載のイルミネーション構造。
【請求項３】
前記光源は、それぞれ少なくとも１つの赤色光を出射する点状の赤色発光素子と、緑色光を出射する点状の緑色発光素子と、青色光を出射する点状の青色発光素子とを有することを特徴とする請求項１又は２記載のイルミネーション構造。
【請求項４】
前記光源は、それぞれ少なくとも１つの赤色の補色を呈する色光を出射する点状の第１の補色発光素子と、緑色の補色を呈する色光を出射する点状の第２の補色発光素子と、青色の補色を呈する色光を出射する点状の第３の補色発光素子とを有することを特徴とする請求項１又は２記載のイルミネーション構造。
【請求項５】
前記赤色発光素子から出射された赤色光と、前記緑色発光素子から出射された緑色光と、前記青色発光素子から出射された青色光とは、一部がこのまま、別の一部は混合されて、前記光拡散板に投射されることを特徴とする請求項３記載のイルミネーション構造。
【請求項６】
前記第１の補色発光素子から出射された色光と、前記第２の補色発光素子から出射された色光と、前記第３の補色発光素子から出射された色光とは、一部がこのまま、別の一部は混合されて、前記光拡散板に投射されることを特徴とする請求項４記載のイルミネーション構造。
【請求項７】
前記光透過領域は、前記イルミネーション原板に穿設された開口からなることを特徴とする請求項２乃至６のいずれか１に記載のイルミネーション構造。
【請求項８】
前記光源を構成する前記各発光素子は、それぞれ所定の点滅パターンで発光するように制御されることを特徴とする請求項１乃至７のいずれか１に記載のイルミネーション構造。
【請求項９】
前記イルミネーション原板と、前記光源又は前記光拡散板との間には、フィルタ部材が配置されていることを特徴とする請求項１乃至８のいずれか１に記載のイルミネーション構造。
【請求項１０】
前記イルミネーション原板及び／又は前記光拡散板は、着脱自在に取り付けられていることを特徴とする請求項１乃至９のいずれか１に記載のイルミネーション構造。
【請求項１１】
前記イルミネーション原板と前記光拡散板とは、一体的に成形されていることを特徴とする請求項１乃至１０のいずれか１に記載のイルミネーション構造。
【請求項１２】
請求項１乃至１１のいずれか１に記載のイルミネーション構造で用いられる光拡散板であって、板状の透明性部材の光入射面側及び／又は光出射面側にイルミネーション表示がなされる表示領域が形成されてなっていることを特徴とするイルミネーション構造で用いられる光拡散板。
【請求項１３】
前記表示領域は白色層からなっていることを特徴とする請求項１２記載のイルミネーション構造で用いられる光拡散板。
【請求項１４】
前記表示領域は、平面視で、所定の図柄又は模様に象られて形成されていることを特徴とする請求項１２又は１３記載のイルミネーション構造で用いられる光拡散板。
【請求項１５】
請求項１乃至１１のいずれか１に記載のイルミネーション構造を備えたことを特徴とする電子機器。
【請求項１６】
請求項１乃至１１のいずれか１に記載のイルミネーション構造を構成する光源の発光制御方法であって、
前記イルミネーション原板の光透過領域の形状及び配置状態に応じて前記光源の点滅パターンを制御することを特徴とする発光制御方法。
【請求項１７】
前記イルミネーション原板と、前記光源及び前記光拡散板との位置関係に応じて前記光源の点滅パターンを制御することを特徴とする請求項１６記載の発光制御方法。
【請求項１８】
前記光源を構成する前記各発光素子の配置状態に応じて前記光源の点滅パターンを制御することを特徴とする請求項１６又は１７記載の発光制御方法。
【発明の詳細な説明】
【技術分野】
【０００１】
この発明は、着信時や通話時等にエンブレム等を多彩な色彩で発光表示させる例えば携帯型の電子機器で用いられるイルミネーション構造及び該構造で用いられる光拡散板、イルミネーション構造を備えた電子機器、及びイルミネーション構造を構成する光源の発光制御方法に関する。
【背景技術】
【０００２】
従来より、携帯型の電子機器としての携帯電話機には、着信時に点滅してその旨を通知したり、通話時にエンブレムを多彩な色彩で発光表示させる表示用発光部が設けられているものも多い。
すなわち、この種の携帯電話機１０１は、図１８に示すように、例えば折畳可能な筐体１０２を備えると共に、携帯電話機１０１の上側筐体１０３には、着信をユーザに知らせるための着信表示や通話時にイルミネーション表示を行う表示用発光部１０４と、折り畳んだ状態で表示画面の視認が可能な補助表示部１０５と、送受信用のアンテナ１０６とが設けられている。
【０００３】
表示用発光部１０４は、図１９及び図２０に示すように、プリント配線基板上に搭載され、赤色ＬＥＤ１０７ｒと緑色ＬＥＤ１０７ｇと青色ＬＥＤ１０７ｂとからなる光源ユニット１０７と、赤色ＬＥＤ１０７ｒ、緑色ＬＥＤ１０７ｇ、青色ＬＥＤ１０７ｂからそれぞれ出射された赤色光、緑色光、青色光が投射されて、図２１に示すように混色された色表示がなれるスクリーン部材１０８とを有してなっている。
ここで、赤色ＬＥＤ１０７ｒ、緑色ＬＥＤ１０７ｇ及び青色ＬＥＤ１０７ｂは、予め設定された点滅パターンに従ってそれぞれ点滅し、スクリーン部材１０８では、赤色光、緑色光、青色光の組合せにより、所定のタイミングでは、例えば、無色（全て滅灯）、赤色、緑色、青色、黄色、紫色、水色及び白色のうちいずれか１色の色表示がなされ、この色表示が時間的に変化するように各ＬＥＤが発光制御される。
【０００４】
しかしながら、表示色が時間的に変化するといっても、各タイミングで１色しか表現できないので、イルミネーション表示が単調となってしまっていた。このため、デザイン上も美感や面白みに欠け、最近の機能性はもとより装飾性やアミューズメント性（娯楽性）に関する高度な要求に対応できないという問題があった。
ところで、赤色ＬＥＤ、緑色ＬＥＤ及び青ＬＥＤを含むＬＥＤ群を線状に複数配列し、各ＬＥＤ群の表示色を時間的に変化させる技術（例えば、特許文献１参照。）や、光軸に沿って互いに異なる図柄が描かれた２つのフィルム付きのレンズを配列して後方側のレンズの背面側に配置した光源が点灯した時と滅灯した時とで、別の図柄を表示させる技術（例えば、特許文献２参照。）が知られており、これらの技術を携帯電話機の表示用発光部に適用することによって、多彩な色表現を実現することも考えられる。
【特許文献１】特開２００１−１６６７３８号公報
【特許文献２】特開２００２−２１００９０号公報
【発明の開示】
【発明が解決しようとする課題】
【０００５】
解決しようとする問題点は、上記従来技術を携帯電話機に適用して、イルミネーションの美感を持たせようとすれば、小型化、薄型化、軽量化及び低コスト化を犠牲にしてしまう点である。
【課題を解決するための手段】
【０００６】
上記課題を解決するために、請求項１記載の発明に係るイルミネーション構造は、互いに異なる色光を出射する複数の発光素子からなる光源と、上記各種色光が投射され拡散されて透過する光拡散板と、上記光源と上記光拡散板との間に介挿され、イルミネーション効果を発揚させるようにデザインされた所定の透過模様又は遮光模様が形成されたイルミネーション原板とを備えてなり、上記複数の発光素子は互いにずれた状態で配置され、上記複数の発光素子からそれぞれ出射した上記色光による上記透過模様又は上記遮光模様が、互いにずれた状態で、上記光拡散板に拡大投写されることを特徴としている。
【０００７】
また、請求項２記載の発明は、請求項１記載のイルミネーション構造に係り、上記イルミネーション原板は、不透明板に複数の光透過領域が形成されてなっていることを特徴としている。
【０００８】
また、請求項３記載の発明は、請求項１又は２記載のイルミネーション構造に係り、上記光源は、それぞれ少なくとも１つの赤色光を出射する点状の赤色発光素子と、緑色光を出射する点状の緑色発光素子と、青色光を出射する点状の青色発光素子とを有することを特徴としている。
【０００９】
また、請求項４記載の発明は、請求項１又は２記載のイルミネーション構造に係り、上記光源は、それぞれ少なくとも１つの赤色の補色を呈する色光を出射する点状の第１の補色発光素子と、緑色の補色を呈する色光を出射する点状の第２の補色発光素子と、青色の補色を呈する色光を出射する点状の第３の補色発光素子とを有することを特徴としている。
【００１０】
また、請求項５記載の発明は、請求項３記載のイルミネーション構造に係り、上記赤色発光素子から出射された赤色光と、上記緑色発光素子から出射された緑色光と、上記青色発光素子から出射された青色光とは、一部がこのまま、別の一部は混合されて、上記光拡散板に投射されることを特徴としている。
【００１１】
また、請求項６記載の発明は、請求項４記載のイルミネーション構造に係り、上記第１の補色発光素子から出射された色光と、上記第２の補色発光素子から出射された色光と、上記第３の補色発光素子から出射された色光とは、一部がこのまま、別の一部は混合されて、上記光拡散板に投射されることを特徴としている。
【００１２】
また、請求項７記載の発明は、請求項２乃至６のいずれか１に記載のイルミネーション構造に係り、上記光透過領域は、上記イルミネーション原板に穿設された開口からなることを特徴としている。
【００１３】
また、請求項８記載の発明は、請求項１乃至７のいずれか１に記載のイルミネーション構造に係り、上記光源を構成する上記各発光素子は、それぞれ所定の点滅パターンで発光するように制御されることを特徴としている。
【００１４】
また、請求項９記載の発明は、請求項１乃至８のいずれか１に記載のイルミネーション構造に係り、上記イルミネーション原板と、上記光源又は上記光拡散板との間には、フィルタ部材が配置されていることを特徴としている。
【００１５】
また、請求項１０記載の発明は、請求項１乃至９のいずれか１に記載のイルミネーション構造に係り、上記イルミネーション原板及び／又は上記光拡散板は、着脱自在に取り付けられていることを特徴としている。
【００１６】
また、請求項１１記載の発明は、請求項１乃至１０のいずれか１に記載のイルミネーション構造に係り、上記イルミネーション原板と上記光拡散板とは、一体的に成形されていることを特徴としている。
【００１７】
また、請求項１２記載の発明は、請求項１乃至１１のいずれか１に記載のイルミネーション構造で用いられる光拡散板に係り、板状の透明性部材の光入射面側及び／又は光出射面側にイルミネーション表示がなされる表示領域が形成されてなっていることを特徴としている。
【００１８】
また、請求項１３記載の発明は、請求項１２記載のイルミネーション構造で用いられる光拡散板に係り、上記表示領域は白色層からなっていることを特徴としている。
【００１９】
また、請求項１４記載の発明は、請求項１２又は１３記載のイルミネーション構造で用いられる光拡散板に係り、上記表示領域は、平面視で、所定の図柄又は模様に象られて形成されていることを特徴としている。
【００２０】
また、請求項１５記載の発明に係る電子機器は、請求項１乃至１１のいずれか１に記載のイルミネーション構造を備えたことを特徴としている。
【００２１】
また、請求項１６記載の発明は、請求項１乃至１１のいずれか１に記載のイルミネーション構造を構成する光源の発光制御方法に係り、上記イルミネーション原板の光透過領域の形状及び配置状態に応じて上記光源の点滅パターンを制御することを特徴としている。
【００２２】
また、請求項１７記載の発明は、請求項１６記載の発光制御方法に係り、上記イルミネーション原板と、上記光源及び上記光拡散板との位置関係に応じて上記光源の点滅パターンを制御することを特徴としている。
【００２３】
また、請求項１８記載の発明は、請求項１６又は１７記載の発光制御方法に係り、上記光源を構成する上記各発光素子の配置状態に応じて上記光源の点滅パターンを制御することを特徴としている。
【発明の効果】
【００２４】
この発明の構成によれば、光源から出射する色光のうち、一部が混色されずに原色のまま表示され、別の一部が混色されて表示されて、多色で彩色された状態で時間的に変化するので、多彩な色表現により装飾性を向上させることができる。
また、単に、例えば赤色発光素子、緑色発光素子、青色発光素子を点滅させるのみの発光制御によっても、多色で変化する際に複数の光スポットが移動して見えるので、観察者は、多彩で動的な変化を見て娯楽感覚を楽しむことができる。すなわち、アミューズメント性も向上させることができる。
また、例えば大小様々な光スポットがスクリーン部材に投射されることによって遠近感が得られ、簡素な構成ながら立体感のある装飾表現を行うことができる。
このように、デザイン上、美感を高め、娯楽性を増進させることができる。
しかも、単にイルミネーション原板を介在させるのみの簡素な構成で上記効果を実現させることができ、例えば、可動部を付加する必要もないので、小型化、軽量化、薄型化及び低コスト化の妨げになることもない。
【発明を実施するための最良の形態】
【００２５】
簡易な構成として、小型化、薄型化、軽量化及び低コスト化の妨げとなることなく、多彩な色表現により装飾性やアミューズメント性を向上させるという目的を実現した。
【実施例１】
【００２６】
図１は、この発明の実施例１である携帯電話機の構成を示す正面図、図２は、同携帯電話機の構成を示す斜視図、図３は、同携帯電話機の構成を示すブロック図、図４は、同携帯電話機の上部発光部及び下部発光部の構成を示す断面図、図５は、同上部発光部の構成を模式的に示す斜視図、図６は、同上部発光部の構成を模式的に示す断面図、図７は、同上部発光部の光源ユニットの構成を示す平面図、図８は、同携帯電話機のカバー部材の構成を示す平面図、図９は、同上部発光部のスクリーン部の表示例を示す図、図１０は、同携帯電話機のＬＥＤ駆動部の構成を示すブロック図、また、図１１乃至図１４は、同携帯電話機の動作を説明するための説明図である。
【００２７】
この例の携帯電話機（電子機器）１は、図１及び図２に示すように、折畳可能な筐体２を備えると共に、本来の通話機能やデータ通信機能に加えて、内蔵された電子カメラによる撮影機能を有し、図１及び図３に示すように、当該携帯電話機本体の構成各部を制御する制御部３と、制御部３が実行する処理プログラムや各種データ等を記憶するための記憶部４と、ＬＥＤを有し例えば着信時や通話時に発光する上部発光部（イルミネーション構造）５及び下部発光部（イルミネーション構造）６と、上部発光部５及び下部発光部６を構成するＬＥＤを駆動するためのＬＥＤ駆動部７と、電波の送受信を行うアンテナ８と、アンテナ８を介して無線電波の送受信を行い、所定のプロトコルに従って通話やデータ通信を行うために用いられる無線通信部９と、数字や文字の入力操作等を行うための多数の各種操作キー等からなる操作部１１と、折畳時に内側となる側に配設され液晶表示装置からなり例えば待受画面や機能設定画面等が表示される主表示部１２と、折畳時に外側となる側に配設され液晶表示装置からなる補助表示部１３と、例えば周囲の風景や人物等を撮影するための電子カメラユニット１４と、着信音を出力するリンガー発生器１５と、リンガー発生器１５を駆動するためのリンガー駆動部１６と、音声出力用のスピーカ１７と、音声入力用のマイクロフォン１８とを備えてなっている。
【００２８】
筐体２は、図１及び図２に示すように、ヒンジ部１９で相互に結合された上側筐体２１と下側筐体２２とからなり、ヒンジ部１９は、上側筐体２１と下側筐体２２とを回転自在に結合して当該携帯電話機１に折畳可能な構造を付与している。
制御部３は、ＣＰＵ（中央処理装置）等からなり、例えば、所定の電話番号に対する発呼処理等を行うための通信制御プログラムや、操作部１１の各種キーボタンからの入力情報を処理する操作制御プログラム、ＬＥＤ駆動部７を制御して、例えば、着信時や通話時に上部発光部５及び下部発光部６のＬＥＤを点滅させる発光制御プログラム、例えば電子カメラユニット１４で得られた画像データを主表示部１２、補助表示部１３に表示させるための表示制御プログラム、ホームページを閲覧するためのプログラムとしてのブラウザ、電子メールを作成したり送受信するためのプログラムとしてのメーラ等の記憶部４に記憶された各種処理プログラムを実行し、記憶部４に確保された各種レジスタやフラグを用いて、構成各部を制御し、通信制御処理や、操作制御処理、発光制御処理、表示制御処理等を行う。
【００２９】
記憶部４は、ＲＯＭ、ＲＡＭ等の半導体メモリからなり、制御部３が実行する上記通信制御処理プログラムや、操作制御プログラム、発光制御プログラム、表示制御プログラム等の各種処理プログラム等をが記憶されたプログラム記憶領域と、各機能の設定情報や通信履歴情報、電話帳情報、上部発光部５及び下部発光部６におけるＬＥＤの点滅パターン、電子カメラユニット１４によって撮影された画像データ等の各種情報が記憶された情報記憶領域とを有すると共に、この記憶部４には、制御部３がプログラム実行時に用いる各種レジスタやフラグが確保されている。
発光制御プログラムには、着信時や通話時に上部発光部５及び下部発光部６を構成する各ＬＥＤを予め設定された点滅パターンに従って点滅させて、スクリーン部３３に所望のイルミネーションパターンを表示させる発光制御を行うための手順が記述されている。
なお、この例では、上部発光部５及び下部発光部６は、共に同一パターンで点滅させるものとする。
【００３０】
また、上記情報記憶領域を構成する点滅パターン記憶領域には、各ＬＥＤの点滅状態の時系列的変化パターンが記憶されている。この時系列的変化パターンでは、連続した各単位期間毎に、赤色ＬＥＤ、緑色ＬＥＤ及び青色ＬＥＤのうち、点灯（滅灯）されるＬＥＤが指定されている。
例えば、３ビットのデータを、赤色、緑色、青色の３色のＬＥＤに対応させて、下位ビットを赤色ＬＥＤ、中位ビットを緑色ＬＥＤ、上位ビットを青色ＬＥＤのために割り当て、各ビットの組合せからなる７種類のデータによって、各単位期間（タイミング）に点灯（滅灯）させるＬＥＤが指定される。
すなわち、「０００」には「全て滅灯」、「００１」には「赤色ＬＥＤのみ点灯」、「０１０」には「緑色ＬＥＤのみ点灯」、「０１１」には「青色ＬＥＤのみ滅灯」、「１００」には「青色ＬＥＤのみ点灯」、「１０１」には「緑色ＬＥＤのみ滅灯」、「１１０」には「赤色ＬＥＤのみ滅灯」、「１１１」には「全て点灯」が対応付けられる。
【００３１】
この例の上部発光部５及び下部発光部６は、着信時にその旨を通知する着信通知機能と、所定のエンブレムをイルミネーション表示するイルミネーション表示機能とを兼ね備えている。
上部発光部５及び下部発光部６は、図４乃至図６に示すように、共にプリント配線基板上に搭載され、３原色でそれぞれに発光する赤色ＬＥＤ、緑色ＬＥＤ、青色ＬＥＤの点滅により、多様な点灯色で発光する。
上部発光部５は、補助表示部１３の上方に配置され、光源ユニット（光源）３１と、イルミネーション原板３２と、スクリーン部（光拡散板）３３とを有してなっている。
光源ユニット３１は、３原色でそれぞれに発光する赤色ＬＥＤ（発光素子、赤色発光素子）３４、緑色ＬＥＤ（発光素子、緑色発光素子）３５、青色ＬＥＤ（発光素子、青色発光素子）３６からなっている。
この例では、赤色ＬＥＤ３４、緑色ＬＥＤ３５、青色ＬＥＤ３６は、それぞれ１個ずつ、例えば図７に示すように、中心が三角形の頂点に位置するようにプリント配線基板３７上に配置されている。
【００３２】
イルミネーション原板３２は、図５に示すように、色光を透過させる複数の光透過領域３２ａ１，３２ａ２，…と、色光を遮る遮光領域３２ｂとを有し、少なくとも光入射面又は光出射面側に遮光層（黒色層）が形成された不透明基板の所定の部位に、光透過領域としての開口が形成されてなっている。
この例では、各光透過領域３２ａ１，３２ａ２，…は、同図に示すように、略円形とされ、格子状に配置されている。また、光透過領域３２ａ１，３２ａ２，…の径は、例えば略０．５ｍｍ、ピッチは、略１．０ｍｍとされる。
スクリーン部３３は、図４及び図８に示すような上部発光部５及び下部発光部６並びに補助表示部１３を覆って保護するカバー部材３８を構成する透明板３９の裏面側（光入射面側）の光源ユニット３１に対向する所定の領域に形成され、入射した光を拡散（散乱）させる白色層（表示領域）４１を有してなっている。
【００３３】
また、この例では、光源ユニット３１とイルミネーション原板３２との間の距離、イルミネーション原板３２とスクリーン部３３との間の距離、光透過領域３２ａ１，３２ａ２，…の寸法、形状及び配置パターン、光源ユニット３１の赤色ＬＥＤ３４、緑色ＬＥＤ３５、青色ＬＥＤ３６の配置方法は、スクリーン部３３に映すべき所望のイルミネーションパターン（スクリーン部３３の各部位での表示色が時間的に変化し、全体としての模様やその多色の彩色パターンが、時間的及び空間的に変化するパターン）の概略に応じて、例えば実験的に決定され、予め設定されている。
さらに、各ＬＥＤの点滅パターンが設定されることによって、イルミネーションパターンの詳細が決定されている。
この例では、光源ユニット３１とイルミネーション原板３２との間の距離は、略０．３ｍｍ、イルミネーション原板３２とスクリーン部３３との間の距離は、略１．０ｍｍとされている。
【００３４】
所定の単位期間（タイミング）で、例えば、赤色ＬＥＤ３４、緑色ＬＥＤ３５、青色ＬＥＤ３６が全て点灯しているとき（完全に混色された場合には、白色表示とされるとき）には、赤色ＬＥＤ３４、緑色ＬＥＤ３５、青色ＬＥＤ３６の配置状態により、図６に示すように、例えば光透過領域３２ａ１には主として赤色ＬＥＤ３４から出射された赤色光が、光透過領域３２ａ５には主として青色ＬＥＤ３６から出射された青色光が到達し、光透過領域３２ａ２，３２ａ３，３２ａ４には、赤色ＬＥＤ３４、緑色ＬＥＤ３５及び青色ＬＥＤ３６から出射された赤色光、緑色光及び青色光が到達する。
これによって、光透過領域３２ａ１からは主として赤色光が、光透過領域３２ａ５からは主として青色光がスクリーン部３３へ向けて出射され、光透過領域３２ａ２，３２ａ３，３２ａ４からは、赤色光、緑色光及び青色光がそれぞれ所定の混合比で混色された光がスクリーン部３３へ向けて出射される。
【００３５】
この結果、スクリーン部３３には、単色（赤色、緑色及び青色）のスポット光、又は少なくとも２種類の色光が混合されたスポット光が投射されて混色される。すなわち、例えば図９に示すように、表示色が原色（赤色、緑色及び青色）又は黄色、紫色、水色、白色等スポット光４１ａ，４１ｂ，４１ｃ，４１ｄ，４１ｅが独立して、又は重なり合って、投射される。重なり合った領域は、さらに、異なった色表示とされる。
下部発光部６は、図４に示すように、補助表示部１３の下方に配置され、上部発光部５と同様に、光源ユニット（光源）４３と、イルミネーション原板４４と、スクリーン部（光拡散板）４５とを有してなっている。
スクリーン部４５は、カバー部材３８を構成する透明板３９の裏面側（光入射面側）の光源ユニット４３に対向する所定の領域に形成された白色層４６を有してなっている。
【００３６】
ＬＥＤ駆動部７は、図１０に示すように、記憶部４から出力されたＬＥＤの点滅パターンデータを先入れ先出し動作によって読み込んで出力するファーストインファストアウト（以下、ＦＩＦＯ（First In First Out Memory）という。）５１と、ＦＩＦＯ５１の出力データを保持して後述する駆動信号出力回路５４に出力する出力ポートレジスタ５２と、基準クロックに応じてＦＩＦＯ５１に読出信号を出力する読出信号発生回路５３と、各ＬＥＤに対する駆動信号を出力する駆動信号出力回路５４とを有している。
【００３７】
無線通信部９は、ＲＦ回路や、変復調回路、ベースバンド処理回路等からなり、音声やデータを変調してアンテナ８を介して無線電波として送信すると共に、無線電波をアンテナ８を介して受信して音声やデータに復調し、所定のプロトコルに従って通話やデータ通信を行うために用いられる。
操作部１１は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部１２に表示された表示画面状のカーソルを上下左右方向へ移動させるためのカーソルキーと、例えば数字等を入力するためのテンキー群と、電子カメラユニット１４による撮影を可能とする撮影モードを選択すると共にシャッタ釦を兼ねる撮影モードキーとを有している。
【００３８】
主表示部１２は、上側筐体２１の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部１３は、上側筐体２１の折畳時に外側となる面の中央部に配設され、例えば透過型の液晶表示パネルを有してなり、現在時刻や着信通知等の表示がなされる。
【００３９】
電子カメラユニット１４は、図１及び図３に示すように、上側筐体２１の折畳時に外側となる面に設けられ、被写体から到来した光が入射する撮影窓部５６と、撮影窓部の近傍に配置された例えば標準レンズからなるカメラレンズ５７と、カメラレンズ５７を介して結像した画像を光電変換して電気信号としての画像信号を出力するＣＣＤ撮像素子等からなる撮像デバイス５８と、撮像デバイス５８から送られてきた画像信号をＡ／Ｄ変換し、デジタル化した信号にガンマ変換、色空間変換等の画像処理を施す画像処理部５９とを有している。
【００４０】
次に、図１１乃至図１４を参照してこの例の携帯電話機１の動作について説明する。
電源投入後、制御部３は、操作者による入力操作や着信を待機する待受モードに入り、主表示部１２には待受画面を表示させる。この状態で、制御部３は、例えば着信の有無を監視し、着信有りを検知すると、ＬＥＤ駆動部７を制御して、予め設定された点滅パターンデータに従って光源ユニット３１の赤色ＬＥＤ３４、緑色ＬＥＤ３５、青色ＬＥＤ３６及び光源ユニット４３の赤色ＬＥＤ、緑色ＬＥＤ、青色ＬＥＤを点滅させて、所望のイルミネーションパターンをスクリーン部３３，４５に表示させる。
すなわち、制御部３は、まず、記憶部４から読み出した点滅パターンデータをＦＩＦＯ５１に書き込む。読出信号発生回路５３は、図１１に示すように、制御部３から出力された読出開始指示信号に応じて、基準クロックに基づいて、データ読出信号ｐ１を定期的に生成する。
【００４１】
ＦＩＦＯ５１は、読出信号発生回路５３から得られたデータ読出信号ｐ１に応じて、点滅パターンデータを出力ポートレジスタ５２に書き込み、駆動信号出力回路５４は、出力ポートレジスタ５２から出力されたそれぞれ赤色ＬＥＤ駆動用、緑色ＬＥＤ駆動用、青色ＬＥＤ駆動用のポート出力信号ｐＲ，ｐＧ，ｐＢに応じて、各ＬＥＤを駆動する。
ここで、ＦＩＦＯ５１は、残りデータ量が所定量となったとき、制御部３に対して追加データの供給を要求する。制御部３は、この要求を受けると、ＦＩＦＯ５１の空きデータ量に応じて、続きの点滅パターンデータを記憶部４から読み込んで、ＦＩＦＯ５１に設定する。
【００４２】
同図に示すように、時刻ｔが着信検知時刻ｔ１以前の単位期間Ｔ１（ｔ≦ｔ１）では、ポート出力信号ｐＲ，ｐＧ，ｐＢは全て「Ｌ」とされ、赤色ＬＥＤ３４、緑色ＬＥＤ３５、青色ＬＥＤ３６は全て滅灯とされ、表示色は無色となる。
次の単位期間Ｔ２（ｔ１≦ｔ≦ｔ２）では、ポート出力信号ｐＲ，ｐＧ，ｐＢはそれぞれ、例えば「Ｈ」，「Ｌ」，「Ｌ」とされ、赤色ＬＥＤ３４のみ点灯とされる。
以下、同様に、単位期間Ｔ３（ｔ２≦ｔ≦ｔ３）、単位期間Ｔ４（ｔ３≦ｔ≦ｔ４）、単位期間Ｔ５（ｔ４≦ｔ≦ｔ５）、単位期間Ｔ６（ｔ５≦ｔ≦ｔ６）、単位期間Ｔ７（ｔ６≦ｔ≦ｔ７）、単位期間Ｔ８（ｔ７≦ｔ≦ｔ８）、単位期間Ｔ９（ｔ８≦ｔ≦ｔ９）、単位期間Ｔ１０（ｔ９≦ｔ≦ｔ１０）では、それぞれ、例えば、ポート出力信号ｐＧのみ「Ｈ」、ポート出力信号ｐＲのみ「Ｌ」、ポート出力信号ｐＢのみ「Ｌ」、ポート出力信号ｐＧのみ「Ｌ」、ポート出力信号ｐＲのみ「Ｈ」、ポート出力信号ｐＲ，ｐＧ，ｐＢは全て「Ｌ」、ポート出力信号ｐＲ，ｐＧ，ｐＢは全て「Ｈ」、ポート出力信号ｐＲのみ「Ｌ」とされる。
ここで、例えば単位期間Ｔ９では、スクリーン部３３において、白色のほかに、原色としての赤色、緑色及び青色や、２種類の色光が混色された黄色、紫色、水色で表示された投射領域が混在されることとなる。
【００４３】
このようにして、例えば、図１２に示すように、イルミネーションパターンがスクリーン部３３，４５に表示される。同図では、所定の連続する３単位期間において、スクリーン部３３に表示された各単位期間毎のイルミネーションパターンの一例が示されている。
まず、同図（ａ）に示すように、ある単位期間では、スクリーン部３３の所定の領域には、互いに表示色及び大きさの異なる例えば３つのスポット光６１ａ，６１ｂ，６１ｃが投射される。これらのスポット光６１ａ，６１ｂ，６１ｃの表示色は、原色（赤色、緑色及び青色）、又は少なくとも２種類の色光の混合による黄色、紫色、水色、白色のうちのいずれかとなる。
また、この例では、スポット光６１ａ，６１ｂ，６１ｃは、一部が重なり合った状態で、スクリーン部３３に投射される。
【００４４】
次の単位期間では、同図（ｂ）に示すように、スクリーン部３３の所定の領域には、互いに表示色及び大きさの異なる例えば３つのスポット光６２ａ，６２ｂ，６２ｃが投射される。
ここで、スポット光６２ａ，６２ｂ，６２ｃの表示色は、例えば、それぞれ、スポット光６１ａ，６１ｂ，６１ｃと同種とされ、中心位置は、それぞれ、スポット光６１ａ，６１ｂ，６１ｃの中心位置近傍とされ、寸法は、それぞれ、スポット光６１ｃ，６１ａ，６１ｂと略同一とされる。
次の単位期間では、同図（ｃ）に示すように、スクリーン部３３の所定の領域には、互いに表示色及び大きさの異なる例えば３つのスポット光６３ａ，６３ｂ，６３ｃが投射される。
ここで、スポット光６３ａ，６３ｂ，６３ｃの表示色は、例えば、それぞれ、スポット光６２ａ，６２ｂ，６２ｃと同種とされ、中心位置は、それぞれ、スポット光６２ａ，６２ｂ，６２ｃの中心位置近傍とされ、寸法は、それぞれ、スポット光６２ｃ，６２ａ，６２ｂと略同一とされる。
【００４５】
これによって、スクリーン部３３には、赤色ＬＥＤ３４、緑色ＬＥＤ３５、青色ＬＥＤ３６のうち、点灯しているＬＥＤに近い光透過領域３２ａ１（３２ａ２，３２ａ３，…）を透過してきた光を含むスポット光がより大きく映し出され、赤色ＬＥＤ３４、緑色ＬＥＤ３５、青色ＬＥＤ３６が点滅する毎に、例えば最も大きく映し出されるスポット光の投射位置とその表示色が時間的に変化して、イルミネーション表示の動的変化が視認される。
すなわち、観察者からは、スポット光６１ａ→スポット光６２ｂ→スポット光６３ｃ、スポット光６１ｂ→スポット光６２ｃ→スポット光６３ａ、スポット光６１ｃ→スポット光６２ａ→スポット光６３ｂと、略円形領域がスクリーン部３３の中心の周りにそれぞれ回転しているように見え、さらに、スクリーン部３３の所定の部位に注目すると、表示色が変化しているように見える。
【００４６】
ここで、上部発光部５の構成を単純化した場合を例にとって詳しく説明する。
すなわち、図１３に示すように、イルミネーション原板３２として、比較的広面積の透明領域３２ａが中央部に設けられ、赤色ＬＥＤ３４、緑色ＬＥＤ３５、青色ＬＥＤ３６のうちの二者間の間隔が比較的大きいものとして説明する。
所定の単位期間（タイミング）で、例えば赤色ＬＥＤ３４、緑色ＬＥＤ３５、青色ＬＥＤ３６が全て点灯しているとき（イルミネーション原板３２を配置せず、完全に混色された場合には、白色表示とされるとき（図１１では単位期間Ｔ９））には、赤色ＬＥＤ３４、緑色ＬＥＤ３５、青色ＬＥＤ３６の配置状態により、図１３に示すように、光透過領域３２ａには赤色ＬＥＤ３４から出射された赤色光、緑色ＬＥＤ３５から出射された緑色光、青色ＬＥＤ３６から出射された青色光が到達し、それぞれこの光透過領域３２ａを通過して、スクリーン部３３に投射される。
【００４７】
スクリーン部３３では、同図に示すように、投射領域６５ａでは主として青色光が、投射領域６５ｂでは主として青色光及び緑色光が、投射領域６５ｃでは青色光、赤色光及び緑色光が、投射領域６５ｄでは主として赤色光及び緑色光が、投射領域６５ｅでは主として赤色光が、投射されて、それぞれ、青色、水色、白色、黄色、赤色表示される。
このように、イルミネーション原板３２を配置しない従来技術では、単に全面白色表示だったのが部位により、赤色、青色、水色、黄色、白色等の領域が同時に混在することとなる。
また、例えば、図１４に示すように、ある単位期間で、緑色ＬＥＤ３５及び青色ＬＥＤ３６が点灯、次の単位期間で、赤色ＬＥＤ３４及び緑色ＬＥＤ３５が点灯とされた場合には、観察者からは光スポットが表示色を変化させて移動しているように見える。
【００４８】
すなわち、まず、所定の単位期間（図１１では単位期間Ｔ４）で、例えば緑色ＬＥＤ３５、青色ＬＥＤ３６が点灯しているときには、同図（ａ）に示すように、光透過領域３２ａには緑色ＬＥＤ３５から出射された緑色光、青色ＬＥＤ３６から出射された青色光が到達し、それぞれこの光透過領域３２ａを通過して、スクリーン部３３に投射される。
スクリーン部３３では、同図に示すように、投射領域６６ａでは主として青色光が、投射領域６６ｂでは青色光及び緑色光が、投射領域６６ｃでは主として緑色光が、投射されて、それぞれ、青色、水色、緑色で表示される。
次の単位期間（図１１では単位期間Ｔ５）で、例えば赤色ＬＥＤ３４、緑色ＬＥＤ３５が点灯しているときには、同図（ｂ）に示すように、光透過領域３２ａには赤色ＬＥＤ３４から出射された赤色光、緑色ＬＥＤ３５から出射された緑色光が到達し、それぞれこの光透過領域３２ａを通過して、スクリーン部３３に投射される。
【００４９】
スクリーン部３３では、同図に示すように、投射領域６７ａでは主として緑色光が、投射領域６７ｂでは赤色光及び緑色光が、投射領域６７ｃでは主として赤色光が、投射されて、それぞれ、緑色、黄色、赤色で表示される。
これにより、観察者からは光スポットが表示色を変化させて移動しているように見える。
下部発光部６についても、上述した上部発光部５と同様に動作する。
なお、この例では、通話中についても、制御部３はＬＥＤ駆動部７を制御して、赤色ＬＥＤ３４、緑色ＬＥＤ３５、青色ＬＥＤ３６を点滅させ、着信時と同様のイルミネーションパターンをスクリーン部３３，４５に表示させる。
【００５０】
この例の構成によれば、着信時や通話時に各ＬＥＤが点滅することによって、混色された単一色による表示が別の単一色による表示に全体が変化するのではなく、一部が混色されずに原色のまま表示され、また、別の一部が混色されて表示されて、多色で彩色された状態で時間的に変化するので、多彩な色表現により装飾性を向上させることができる。
また、単に各ＬＥＤを点滅させるのみの発光制御によっても、多色で変化する際に複数の光スポットが移動（回転等）して見えるので、観察者は、多彩で動的な変化を見て娯楽感覚を楽しむことができる。すなわち、アミューズメント性も向上させることができる。
また、例えば大小様々な光スポットがスクリーン部３３，４５に投射されることによって遠近感が得られ、簡素な構成ながら立体感のある装飾表現を行うことができる。
このように、デザイン上、美感を高め、娯楽性を増進させることができる。
しかも、単にイルミネーション原板３２を介在させるのみの簡素な構成で上記効果を実現させることができ、例えば、可動部を付加する必要もないので、小型化、軽量化、薄型化及び低コスト化の妨げになることもない。
【実施例２】
【００５１】
図１５は、この発明の実施例２である携帯電話機の上部発光部のスクリーン部の構成を示す断面図である。
この例が上述した実施例１と大きく異なるところは、図１５に示すように、透明板３９の出射面側に白色層を形成した点である。
これ以外の構成は、上述した実施例１の構成と略同一であるので、その説明を簡略にする。
【００５２】
この例の携帯電話機では、図１５に示すように、スクリーン部３３Ａは、透明板３９の光出射面側に形成された白色層４１ａを有してなっている。
【００５３】
この例の構成によれば、上述した実施例１と略同様の効果を得ることができる。
加えて、透明板３９の厚さに対応して、透明板３９の光入射面側に白色層を形成した場合に比べて投射像がより拡大され、観察者にとっては光スポットの変位量も大きく見える。したがって、観察者は、一段と動的な変化を楽しむことができる。
【実施例３】
【００５４】
図１６は、この発明の実施例３である携帯電話機の上部発光部のスクリーン構成を示す断面図、また、図１７は、同スクリーン部の構成を示す平面図である。
この例が上述した実施例１と大きく異なるところは、図１６及び図１７に示すように、透明板３９の両面側に、平面視で重ならないように、所定の図柄を象って白色層を形成した点である。
これ以外の構成は、上述した実施例１の構成と略同一であるので、その説明を簡略にする。
【００５５】
この例の携帯電話機では、図１６及び図１７に示すように、スクリーン部３３Ｂは、透明板３９の光出射面側に形成された白色層４１ｂと、透明板３９の光入射面側に形成された白色層４１ｃとを有してなっている。白色層４１ｂは、例えば略星形状に、かつ、白色層４１ｃと平面視で重ならないように形成されている。
【００５６】
この例の構成によれば、上述した実施例１と略同様の効果を得ることができる。
加えて、一段と立体感のある装飾表現を行うことができるとともに、例えば所定の図柄を浮き出させて表示することができる。
【００５７】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、着信通知用の発光部に適用する場合について述べたが、例えば操作部のキーボタンを照光する照光部に適用しても良い。
また、着信時と通話時とで同一のイルミネーションパターンで、表示する場合について述べたが、もちろん、異なるイルミネーションパターンを採用しても良い。
また、上部発光部５及び下部発光部６は、共に同一の点滅パターンで点滅させるように構成する場合について述べたが、点滅パターンを同時に変化させても、同一のパターンを互いにタイミングをずらして表示させるようにしても良い。また、もちろん、別々の点滅パターンとしても良い。
【００５８】
また、発光部は、２箇所に限らず、３箇所以上に設けるようにしても良いし、１箇所としても良い。
また、赤色ＬＥＤ、緑色ＬＥＤ及び青ＬＥＤが、三角形の頂点に配置されるようにする場合について述べたが、１列に並べて配置しても良い。
また、赤色ＬＥＤ、緑色ＬＥＤ及び青色ＬＥＤは、１個ずつに限らず、複数個ずつ設けても良いし、それぞれ同数でなくても良い。また、赤色、緑色、青色に限らず、発光色が橙色、黄色、黄緑色のＬＥＤも用いるようにしても良い。また、白色ＬＥＤを追加して配置しても良い。
また、赤色、緑色、青色の補色（それぞれ、シアン、マゼンタ、イエローに対応）を呈する色光を出射するＬＥＤを、それぞれ、第１、第２及び第３の補色発光素子として用いるようにしても良い。ここで、例えば、赤色の補色を呈する色光を出射するＬＥＤを、青色ＬＥＤと、緑色光を発光する蛍光材料が混入された蛍光板とから構成するようにしても良いし、白色ＬＥＤとフィルタとを組み合わせて構成するようにしても良い。
【００５９】
また、各ＬＥＤを点滅させるのみならず、発光強度も変化させるようにしても良い。これによって、光透過領域を透過する光の量が時間的に変化して、動的なイルミネーション表示を一段と精細に行うことができる。
また、補助表示部をＬＥＤを用いて構成し、上部発光部及び下部発光部の光源と一体化させても良い。
また、各ＬＥＤの点滅パターンは、操作者が設定することによって変更可能としてもよい。このように、操作者が独自に点滅パターンを作成できるようにすることによって、操作者は、創造の楽しみを享受することができる。
【００６０】
また、イルミネーション原板に形成する光透過領域の形状は、円形に限らず、四角形でも良いし、星形でも良いし、所定の図柄であっても良いし、不定形であっても良い。また、光透過領域（光遮断領域）の配置パターンも、格子状の配列に限らず、放射状でも渦巻き状であっても良く、また、規則性を有していなくても良い。また、イルミネーション原板として、線状部材を格子状に組み合せた網状部材や、線状部材を並列配置させた櫛状部材を用いても良い。
【００６１】
また、イルミネーション原板は１枚に限らず複数毎配置するようにしても良い。ここで、各イルミネーション原板に形成する光透過領域（遮光領域）の配置パターンは、同一としても良いし、相違していても良い。
また、イルミネーション原板として、透明基板上に遮光領域としての黒色層を例えば印刷等によって形成したものを用いても良い。
また、スクリーン部の表示領域として、白色層に代えて、梨地やシボ面等の不規則な凹凸面を有する光拡散層（光散乱層）を形成するようにしても良い。
また、イルミネーション原板、スクリーン部は、固定させずに着脱可能としても良いし、一方又は両方を変位させて互いの間隔の調整が可能なように構成しても良い。
【００６２】
また、上述した実施例では、平板状のイルミネーション原板を用いたり、スクリーン部の白色層を平板状に形成する場合について述べたが、例えばドーム状に湾曲させたものを用いるようにしても良い。
また、イルミネーション原板をスクリーン部の下部に一体的に形成するようにしても良い。
また、上部発光部及び下部発光部の側面近傍の上側筐体２１の内壁面を白色や銀色等に彩色してもよい。
また、実施例３では、単に透明板３９の中央部に星形に象って白色層４１ｂを形成する場合について述べたが、同心円状に、ストライプ状に、又はチェッカー状に配列するようにしても良い。
【産業上の利用可能性】
【００６３】
携帯型の電子機器としての携帯電話機に適用することもできるし、簡易型携帯電話（ＰＨＳ）端末や、携帯情報端末（ＰＤＡ）等に適用することもできる。さらに、適用対象は、携帯型の電子機器に限らず、例えば、イルミネーション機能を主機能とする単独のイルミネーション装置であっても良い。
【図面の簡単な説明】
【００６４】
【図１】この発明の実施例１である携帯電話機の構成を示す正面図である。
【図２】同携帯電話機の構成を示す斜視図である。
【図３】同携帯電話機の構成を示すブロック図である。
【図４】同携帯電話機の上部発光部及び下部発光部の構成を示す断面図である。
【図５】同上部発光部の構成を模式的に示す斜視図である。
【図６】同上部発光部の構成を模式的に示す断面図である。
【図７】同上部発光部の光源ユニットの構成を示す平面図である。
【図８】同携帯電話機のカバー部材の構成を示す平面図である。
【図９】同上部発光部のスクリーン部の表示例を示す図である。
【図１０】同携帯電話機のＬＥＤ駆動部の構成を示すブロック図である。
【図１１】同携帯電話機の動作を説明するための説明図である。
【図１２】同携帯電話機の動作を説明するための説明図である。
【図１３】同携帯電話機の動作を説明するための説明図である。
【図１４】同携帯電話機の動作を説明するための説明図である。
【図１５】この発明の実施例２である携帯電話機の上部発光部のスクリーン部の構成を示す断面図である。
【図１６】この発明の実施例３である携帯電話機の上部発光部のスクリーン部の構成を示す断面図である。
【図１７】同スクリーン部の構成を示す平面図である。
【図１８】従来技術を説明するための説明図である。
【図１９】従来技術を説明するための説明図である。
【図２０】従来技術を説明するための説明図である。
【図２１】従来技術を説明するための説明図である。
【符号の説明】
【００６５】
１      携帯電話機（電子機器）
３      制御部
４      記憶部
５      上部発光部（イルミネーション構造）
６      下部発光部（イルミネーション構造）
７      ＬＥＤ駆動部
３１，４３      光源ユニット（光源）
３２，４４      イルミネーション原板
３３，４５      スクリーン部（光拡散板）
３２ａ１，３２ａ２，…      光透過領域
３２ｂ      遮光領域
３４      赤色ＬＥＤ（発光素子、赤色発光素子）
３５      緑色ＬＥＤ（発光素子、緑色発光素子）
３６      青色ＬＥＤ（発光素子、青色発光素子）
４１，４６      白色層（表示領域）
【図１】
2005084620.tif 000003
【図２】
2005084620.tif 000004
【図３】
2005084620.tif 000005
【図４】
2005084620.tif 000006
【図５】
2005084620.tif 000007
【図６】
2005084620.tif 000008
【図７】
2005084620.tif 000009
【図８】
2005084620.tif 000010
【図９】
2005084620.tif 000011
【図１０】
2005084620.tif 000012
【図１１】
2005084620.tif 000013
【図１２】
2005084620.tif 000014
【図１３】
2005084620.tif 000015
【図１４】
2005084620.tif 000016
【図１５】
2005084620.tif 000017
【図１６】
2005084620.tif 000018
【図１７】
2005084620.tif 000019
【図１８】
2005084620.tif 000020
【図１９】
2005084620.tif 000021
【図２０】
2005084620.tif 000022
【図２１】
2005084620.tif 000023